(57)【要約】【課題】短時間に蓄光が十分に行われ、照明の必要とされる方向に照明光を集中出来、かつ、移動の容易な蓄光型照明装置１を提供する。【解決手段】ＬＥＤ、蛍光灯、放電灯、タングステン灯等の光源から放射される光を蓄積して蓄光とする蓄光材２１と、蓄光材２１を光源側に設ける基材２０とからなる蓄光部２と、蓄光部２を保持し光源に付属する保護カバー１１あるいは反射部材１６等に着脱可能な保持部３と、を有する蓄光型照明装置１から構成されるものである。【選択図】  図１
2011003353.tif 000002
【特許請求の範囲】
【請求項１】
ＬＥＤ、蛍光灯、放電灯、タングステン灯等の光源から放射される光を蓄積して蓄光とした後、前記蓄積された蓄光を放射して照明光とする蓄光型照明装置において、
前記光源から放射される光を蓄積して蓄光とする蓄光材と前記蓄光材を前記光源側に設ける基材とからなる蓄光部と、前記蓄光部を保持し前記光源に付属する保護カバーあるいは反射部材等に着脱可能な保持部と、を有し、
前記保持部を前記光源の保護カバーもしくは反射部材等に固着して前記蓄光部の前記蓄光材に前記光源から放射される光を蓄光として蓄積した後、前記保持部を前記光源の保護カバーもしくは反射部材から離脱して所定位置に移動するとともに前記蓄光部の前記蓄光材に蓄積された蓄光を放射して照明光とする、
ことを特徴とする蓄光型照明装置。
【請求項２】
ＬＥＤ、蛍光灯、放電灯、タングステン灯等の光源から放射される光を蓄積して蓄光とした後、前記蓄積された蓄光を放射して照明光とする蓄光型照明装置において、
前記光源から放射される光を蓄光する蓄光材と前記蓄光材を前記光源の反対側に設ける基材とからなる蓄光部と、前記蓄光部を保持し前記光源の保護カバーあるいは反射部材等に着脱可能な保持部と、を有し、
前記保持部を前記光源の保護カバーもしくは反射部材等の所定の箇所に固着して前記蓄光部の蓄光材に前記光源から放射される光を蓄光として蓄積した後、前記光源から放射される光の停止後は前記蓄光部の前記蓄光材に蓄積された蓄光を放射して照明光とする、
ことを特徴とする蓄光型照明装置。
【発明の詳細な説明】
【技術分野】
【０００１】
本発明は、ＬＥＤ、蛍光灯、放電灯、タングステン灯等の光源から放射される光を蓄光として蓄積し、この蓄積された蓄光を放射して照明光とする蓄光型照明装置に関するものである。
【背景技術】
【０００２】
従来、例えば、特許文献１に記載されているように、照明器具からの光を蓄光する蓄光体（蓄光部）を照明器具の近傍に設置し、照明器具からの光を蓄光体に蓄光した後、照明器具の近傍から取り外して携帯することによって、この蓄光体の蓄光を照明光として放射することにより、照明器具から遠く離れた場所を照明していた。
以下、図面を参照しつつ、従来の蓄光型照明装置について説明する。
【０００３】
図５は、従来の蓄光型照明装置における構成を示す断面図である。
【０００４】
従来の蓄光型照明装置１００は、図５に示すように、着脱可能となされた蓄光体１０１を、ソケット１０２とソケット１０２に取り付けられる光源１０３とからなる照明器具の近傍に取り付けることにより構成されている。光源１０３は、白熱灯や、発光管などである。
【０００５】
蓄光体１０１は、照明器具の近傍に装着されているときに、光源１０３からの照明光によって蓄光する。蓄光体１０１は、透明或いは半透明材料からなる基材上に蓄光材料を塗布することにより形成されており、照明器具の近傍に装着されたときに、光源１０３を覆うようになっている。
【０００６】
この実施の形態において、蓄光体１０１は、円盤状の底板部及び円錐面状の側壁部とから円錐台形状に構成されている。この蓄光体１０１の上端部は、底板部よりも大きな開口端となっており、光源１０３が挿入されるようになっている。
【０００７】
この蓄光体１０１は、光源１０３の周囲を覆って配置されるので、光源１０３が発する照明光により、直接、蓄光体１０１中の蓄光材料が励起されている。蓄光材料は、例えば、非特許文献１に記載されている高耐候性蓄光塗料を透明或いは半透明材料からなる基材上に半透明になるように薄く塗布して、光源１０３が発する照明光の一部分が蓄光体１０１を透過するよう設定する。
【０００８】
この蓄光型照明装置１００において、蓄光体１０１が照明器具の近傍に装着されているときに、光源１０３が通常の使用状態となされて照明光を発することにより、この照明光による周囲の照明が行われるとともに、蓄光体１０１による蓄光が行われる。
【０００９】
このとき、光源１０３から発せられた照明光は、一部が蓄光体１０１中の蓄光材料の励起に消費され、残部が蓄光体１０１を透過して、周囲を照明する。また、蓄光材料が励起されることによって、蓄光体１０１からも照明光が発せられ、光源１０３から発せられ蓄光体１０１を透過する照明光とともに、周囲を照明する。そして、光源１０３が消灯されたときには、蓄光体１０１が発する照明光のみにより、周囲の照明が行われる。
【００１０】
そして、蓄光体１０１は、照明器具の近傍から離脱されたときに、この蓄光体１０１から発する蓄光を照明光とすることによって、照明を行う。照明器具の近傍から取外した蓄光体１０１は、無給電型の蓄光型照明装置として、携帯して使用される。
【先行技術文献】
【特許文献】
【００１１】
【特許文献１】特開２００８−４７３７６号公報
【非特許文献】
【００１２】
【非特許文献１】高耐候性蓄光塗料「ＨＯＴＡＲＵ」の開発  増田豊、小林正雄共著  塗料の研究（関西ペイント（株）広報誌）Ｎｏ．１３８  Ｊｕｌｙ  ２００２年
【発明の概要】
【発明が解決しようとする課題】
【００１３】
前述のような蓄光体を用いた従来の蓄光型照明装置においては、光を照射して十分な蓄光を行うために照明器具の近傍に着脱可能な蓄光体が配置されており、照明器具の光源から光が発生されるときには蓄光体に蓄光し、照明器具の光源から光の発生が停止されると蓄光体から蓄光が照明光として放射される。
蓄光体の形状は図５に示されるように、上端部は底板部よりも大きな開口端となっていて光源が挿入されるようになっているため光源と近接している箇所は中央部分のわずかな箇所であり、ほとんどの部分が光源から離反されている。このため、照明器具の光源から光が発生されて蓄光体全体に十分な蓄光を行うためには長時間が必要であると言う問題点があった。
また、蓄光体に塗布されている蓄光塗料を半透明とするためには薄く塗布しなければならないので十分な蓄光量が得られず、照明光として用いるためには光量が不足すると言う問題点があった。
さらに、蓄光体を照明器具から取り外して無給電型の蓄光型照明装置として用いる場合、蓄光体に蓄積されている蓄光は全方向に拡散されて放射されるため、照明の必要とされる方向にはわずかな蓄光しか放射されず、蓄光体に長時間かけて十分な蓄光を行っても照明の必要とされる方向には照明量が著しく不足してしまうと言う問題点があった。
【００１４】
そこで、本発明は、前述の実情に鑑みて提案されるものであって、短時間に蓄光が十分に行われ、照明の必要とされる方向に照明光を集中出来、かつ、移動の容易な蓄光型照明装置を提供することを目的とする。
【課題を解決するための手段】
【００１５】
本願発明における第1の発明は、光源から放射される光を蓄積して蓄光とした後、蓄積された蓄光を放射して照明光とする蓄光型照明装置１において、光源から放射される光を蓄積して蓄光とする蓄光材２１と蓄光材２１を光源側に設ける基材２０とからなる蓄光部２と、蓄光部２を保持し光源に付属する保護カバー１１あるいは反射部材１６等に着脱可能な保持部３と、を有し、保持部３を光源の保護カバー１１もしくは反射部材１６等に固着して蓄光部２の蓄光材２１に光源から放射される光を蓄光として蓄積した後、保持部３を光源の保護カバー１１もしくは反射部材１６から離脱して所定位置に移動するとともに蓄光部２の蓄光を放射して照明光とする、ことを特徴とする蓄光型照明装置１を提供するものである。
本願発明における第２の発明は、光源から放射される光を蓄積して蓄光とした後、蓄積された蓄光を放射して照明光とする蓄光型照明装置１において、光源から放射される光を蓄光する蓄光材２１と蓄光材２１を光源の反対側に設ける基材２０とからなる蓄光部２と、蓄光部２を保持し光源の保護カバー１１あるいは反射部材１６等に着脱可能な保持部３と、を有し、保持部３を光源の保護カバー１１もしくは反射部材１６等の所定の箇所に固着して蓄光部２の蓄光材２１に光源から放射される光を蓄光として蓄積した後、光源から放射される光の停止後は蓄光部２の蓄光材２１に蓄積された蓄光を放射して照明光とする、ことを特徴とする蓄光型照明装置１を提供するものである。
【発明の効果】
【００１６】
本発明によれば、ＬＥＤ、蛍光灯、放電灯、タングステン灯等の光源から放射される光を蓄積して蓄光とした後、蓄積された蓄光を放射して照明光とする蓄光型照明装置１において、光源から放射される光を蓄積して蓄光とする蓄光材２１と蓄光材２１を光源側に設ける基材２０とからなる蓄光部２と、蓄光部２を保持し光源に付属する保護カバー１１あるいは反射部材１６等に着脱可能な保持部３と、を有し、保持部３を光源の保護カバー１１もしくは反射部材１６等に固着して蓄光部２の蓄光材２１に光源から放射される光を蓄光として蓄積した後、保持部３を光源の保護カバー１１もしくは反射部材１６から離脱して所定位置に移動するとともに蓄光部２の蓄光材２１に蓄積された蓄光を放射して照明光を得ることにより、短時間に蓄光が十分に行われ、照明の必要とされる方向に照明光を集中出来、かつ、移動の容易な蓄光型照明装置１を提供することが出来る。
【図面の簡単な説明】
【００１７】
【図１】本発明の実施形態における蓄光型照明装置１を説明するための図であり、（Ａ）は上面を示す図であり、（Ｂ）は側面を示す図である。
【図２】本発明の実施形態における蓄光型照明装置１の蓄光時の使用例を説明するための断面図であり、（Ａ）は照明器具１０の光源１２を保護する保護カバー１１に蓄光型照明装置１を固着して光源１２から放射される光の蓄光を示す図であり、（Ｂ）は保護カバーのない照明器具１５の反射部材１６に蓄光型照明装置１を固着して光源１７から放射される光の蓄光を示す図である。
【図３】本発明の実施形態における蓄光型照明装置１の蓄光の放射を説明するための図であり、蓄光材２１が光源側に設けられた場合の蓄光の放射を示す図である。
【図４】本発明の実施形態における蓄光型照明装置１の蓄光の放射を説明するための図であり、蓄光材２１が光源の反対側に設けられた場合の蓄光の放射を示す図である。
【図５】従来の蓄光型照明装置１００の断面図を示す図である。
【発明を実施するための形態】
【００１８】
本発明を実施するための最良の形態について、図１〜図４を用いて説明するが、本発明はかかる実施形態に限定されるものではない。
【実施例】
【００１９】
次に実施例を説明すると、
図１に示すように、蓄光型照明装置１は、半径Ｒ０、幅Ｗ０（＝２×Ｒ０）、長さＬ０の半円筒状の蓄光部２と、蓄光部２に固定され先端が吸着パッド（吸盤とも言う）となっている保持部３（例えば４個の吸着パッド３ａ〜３ｄで形成される）と、から構成される。
蓄光部２は図３及び図４の拡大図に示されるように、基材２０に蓄光材２１を固着させて形成する。蓄光材２１は例えば粘着材２２を透明プラスチック２３に塗布しさらに粘着材２２の反対側には白色塗料２４を塗布しその上に蓄光塗料２５を塗布して構成し、粘着材２２を基材２０に張り合わせて固着する。蓄光材２１は市販されている蓄光シート（蓄光紙）を用いても良く、さらには基材２０に直接白色塗料２４と蓄光塗料２５を塗布して蓄光材２１としても良いのはもちろんである。白色塗料２４は蓄光塗料２５の蓄光性能を高めるためのものである。蓄光塗料２５は湿気で性能劣化を生ずるので、塗布した表面に透明な保護材を塗布しておくと良い。例えば蓄光材２１に市販されているアイデンティティ（株）の蓄光シートＢ６サイズを用いると、Ｒ０＝４ｃｍ，Ｗ０＝８ｃｍ，Ｌ０＝１８ｃｍのように蓄光部２の各部の寸法を設定する。
保持部３は吸着パッドに限定されるものではなく、例えば両面接着テープ、マジックテープ（登録商標）、磁石等の着脱が容易なものであれば良い。
【００２０】
次に動作を説明する。
（光源から放射された光を蓄光する場合）
図２（Ａ）に示すように、照明器具１０の保護カバー１１に保持部３の吸着パッド（３ａ〜３ｄ）を圧着して蓄光型照明装置１を照明器具１０に固着させる。
次に、例えば保護カバー１１内の蛍光灯からなる光源１２を発光させて光Ｌ１を放射させる。光Ｌ１は保護カバー１１が乳白色で半透明な場合は保護カバー１１で拡散され拡散光Ｌ２として保護カバー１１より放射される。この放射された拡散光Ｌ２が蓄光型照明装置１の蓄光材２１に照射され蓄光される。保護カバー１１が透明な場合は、光Ｌ１が保護カバー１１をそのまま透過し蓄光材２１に蓄光される。
また、図２（Ｂ）に示すように保護カバー１１のない照明器具１５の場合は、蓄光型照明装置１を照明器具１５の反射部材１６に保持部３の吸着パッド（３ａ〜３ｄ）を圧着して固着させる。そして例えば蛍光灯からなる光源１７を発光させて光Ｌ３を放射させる。そして光Ｌ３は蓄光型照明装置１の蓄光材２１に照射され蓄光される。
光源１２および光源１７は、蛍光灯、ＬＥＤ、放電灯、タングステン灯等の電気で発光するものの他に、ガス灯、アーク灯等燃焼により発光するものでも良い。
【００２１】
（蓄光を放射して照明光とする場合）
図３の拡大図に示されるように、蓄光型照明装置１の蓄光部２は蓄光しようとする光を放射する光源側に蓄光材２１を設けた場合であり、光源から放射された光が直接蓄光塗料２５に照射されて蓄光される。従って、基材２０は不透明でも良く、プラスチック、ガラス、金属等で形成される。そして、蓄光後、図２（Ａ）、図２（Ｂ）に示される照明器具１０、照明器具１５に固着された蓄光型照明装置１を取り外して、照明しようとする所定の場所に移動させ、蓄光型照明装置１の蓄光塗料２５に蓄積されている蓄光を照明箇所に向けて放射し、照明光Ｌ４として所定の場所を照明する。
【００２２】
このように、蓄光部２の蓄光材２１を光源側に設ければ、光源から放射される光が直接蓄光塗料２５に照射されて蓄光されるので、短期間に十分な蓄光が行われる。しかも蓄光後、照明器具１０、照明器具１５に固着された蓄光型照明装置１を取り外して携帯型照明装置として用いれば、蓄光塗料２５に蓄積された蓄光が照明光Ｌ４として蓄光塗料２５から直接一定方向で所定の照明箇所に放射され、しかも、電池等の電源も不要であるから、明るく軽量な携帯型の照明装置として用いることが出来る。
【００２３】
図４の拡大図に示されるように、蓄光型照明装置１の蓄光部２は蓄光しようとする光を放射する光源の反対側に蓄光材２１を設けた場合を示すものであり、光源から放射された光は基材２０を透過し、更に蓄光材２１の粘着材２２、透明プラスチック２３、白色塗料２４を経由して蓄光塗料２５に照射されて蓄光される。従って、この場合基材２０は透明もしくは半透明なプラスチック、ガラス等で形成される。白色塗料２４も半透明となるよう薄く塗布される。そして、蓄光が十分行われた後、図２（Ａ）、図２（Ｂ）に示される照明器具１０、照明器具１５の光源１２、光源１７の光の放射を停止させると、蓄光塗料２５に蓄積された蓄光が照明光Ｌ５として放射される。この場合、蓄光型照明装置１は照明器具１０、照明器具１５に固着させたまま用いても、あるいは取り外して用いても良い。
【００２４】
このように、蓄光部２の蓄光材２１を光源の反対側に設ければ、光源から放射される光が蓄光型照明装置１のもっとも外側の蓄光塗料２５に照射されて蓄光されるので、蓄光後、照明器具１０、照明器具１５の光源１２、光源１７を停止すれば、光源から放射される光の代わりに蓄光塗料２５に蓄積された蓄光が直接放射されて照明光となるので、効率の良い電源の不要な照明装置として用いることが出来る。特に、照明器具１０、照明器具１５の一部分を覆うように蓄光型照明装置１を固着しておけば、通常の照明時には照明器具１０、照明器具１５を主体にして照明を行い、消灯後は蓄光型照明装置１の蓄光による照明を行うことにより、夜間における予備灯の別途設置を省略することが出来る。
【００２５】
以上述べてきたように、本発明の実施形態によれば、照明器具に簡単に固着できて取り外しが容易であり、さらに短時間に蓄光が十分に行われ、照明の必要とされる方向に照明光を集中することが出来、かつ、移動が容易な光型照明装置を提供することが出来る。
【産業上の利用可能性】
【００２６】
本発明は、屋外における外灯やランタンのような携帯型照明装置にも適用することが出来るので、特に電力の供給されない山間部、未開拓地、等にも容易に設置できる。また屋内の非常灯、演奏会場の演奏時に照明を消した時のガイド灯としても十分利用できる。
特に、蓄光を得るための光の放射は短時間で済むため、携帯用電池の長期間の有効使用が可能となり、省エネルギーに効果があるのは自明である。
【符号の説明】
【００２７】
１      蓄光型照明装置
２      蓄光部
３      保持部
３ａ〜３ｄ  吸着パッド
１０    照明器具
１１    保護カバー
１２    光源
１５    照明器具
１６    反射部材
１７    光源
２０    基材
２１    蓄光材
２２    粘着材
２３    透明プラスチック
２４    白色塗料
２５    蓄光塗料
【図１】
2011003353.tif 000003
【図２】
2011003353.tif 000004
【図３】
2011003353.tif 000005
【図４】
2011003353.tif 000006
【図５】
2011003353.tif 000007